(57)【要約】【課題】温度上昇の更なる抑制を図ることができる天井扇風機を提供する。【解決手段】そして、この目的を達成するために、制御部５は、電子部品を搭載した基板である制御基板部１４と、この制御基板部１４を覆う椀形状の制御ケース部１３とからなり、照明部６は、制御部５とケース部７とに挟まれ下部が閉塞した筒形状の照明下カバー１５と、この照明下カバー１５と制御部５とに挟まれ円板形状の照明上カバー１６と、照明上カバー１６に固定されると共に複数の発光素子１８を装着したＬＥＤ基板部１７とからなり、制御ケース部１３は、側周面に複数の開口２６を備え、ケース部７は、ケース部７の上端部と羽根部４との間に空間部２４を有し、照明上カバー１６の上面周縁には、放熱部と風向変更部とを備えたものであり、これにより温度上昇の更なる抑制を図ることができる。【選択図】図３
2015055157.tif 000002
【特許請求の範囲】
【請求項１】
天井に係合可能な支柱部と、この支柱部の下部に備えたモータ部と、このモータ部により回転する羽根部と、前記モータ部の下部に設けた制御部と、この制御部の下部に設けた照明部と、前記モータ部と前記制御部と前記照明部の少なくとも一部を覆う椀形状のケース部とから構成し、前記制御部は、電子部品を搭載した基板である制御基板部と、この制御基板部を覆う椀形状の制御ケース部とからなり、前記照明部は、前記制御部と前記ケース部とに挟まれ下部が閉塞した筒形状の照明下カバーと、この照明下カバーと前記制御部とに挟まれ円板形状の照明上カバーと、前記照明上カバーに固定されると共に複数の発光素子を装着したＬＥＤ基板部とからなり、前記制御ケース部は側周面に複数の開口を備え、前記ケース部は前記ケース部の上端部と前記羽根部との間に空間部を有し、前記照明上カバーの上面周縁には放熱部と風向変更部とを備えたことを特徴とする天井扇風機。
【請求項２】
前記放熱部は、前記照明上カバーの上面周縁から上方へ伸びた複数の板である放熱板であることを特徴とする請求項１に記載の天井扇風機。
【請求項３】
前記風向変更部は、前記照明上カバーの上面周縁から上方へ伸びた複数の板である風向板であることを特徴とする請求項１または２に記載の天井扇風機。
【請求項４】
前記風向板は、前記制御ケース部の前記開口から所定の距離、外方へ離れた位置から外方へ放射状に伸びることを特徴とする請求項３に記載の天井扇風機。
【請求項５】
前記風向板は、
前記開口から所定の距離、外方へ離れた位置から前記羽根部の回転方向と逆方向へ曲がりながら外方へ放射状に伸びることを特徴とする請求項４に記載の天井扇風機。
【請求項６】
前記照明上カバーの材質は、アルミニウムであることを特徴とする請求項１から５のいずれかに記載の天井扇風機。
【請求項７】
前記ＬＥＤ基板部は、平板形状で、下面には、複数の前記発光素子が装着され、上面の少なくとも一部は、前記照明上カバーの上部下面に接触していることを特徴とする請求項１から６のいずれかに記載の天井扇風機。
【発明の詳細な説明】
【技術分野】
【０００１】
本発明は、照明を備えた天井扇風機に関するものである。
【背景技術】
【０００２】
従来、この種の天井扇風機は、天井に係合可能な支柱部と、この支柱部の下部に備えたモータ部と、このモータ部により回転する羽根部と、前記モータ部の下部に設けた制御部と、この制御部の下部に設けた照明部と、前記モータ部と前記制御部と前記照明部の少なくとも一部を覆うケース部とから構成したものである（例えば、特許文献１参照）。
【先行技術文献】
【特許文献】
【０００３】
【特許文献１】特開２０１０−１０８８０４号公報
【発明の概要】
【発明が解決しようとする課題】
【０００４】
上記従来例における課題は、ケース部内部の温度上昇の更なる低減ということであった。
【０００５】
すなわち、従来の物においては、照明部が発光すると、照明部が発熱し、照明部自体の温度が上昇する。また、照明部の上部に制御部を備えているので、照明部の発熱が制御部に伝わると、制御部の温度も上昇するものであった。
【０００６】
そこで、本発明は、制御部の温度上昇の更なる低減を図ることを目的とするものである。
【課題を解決するための手段】
【０００７】
そして、この目的を達成するために、天井に係合可能な支柱部と、この支柱部の下部に備えたモータ部と、このモータ部により回転する羽根部と、前記モータ部の下部に設けた制御部と、この制御部の下部に設けた照明部と、前記モータ部と前記制御部と前記照明部の少なくとも一部を覆う椀形状のケース部とから構成し、前記制御部は、電子部品を搭載した基板である制御基板部と、この制御基板部を覆う椀形状の制御ケース部とからなり、前記照明部は、前記制御部と前記ケース部とに挟まれ下部が閉塞した筒形状の照明下カバーと、この照明下カバーと前記制御部とに挟まれ円板形状の照明上カバーと、前記照明上カバーに固定されると共に複数の発光素子を装着したＬＥＤ基板部とからなり、前記制御ケース部は、側周面に複数の開口を備え、前記ケース部は、前記ケース部の上端部と前記羽根部との間に空間部を有し、前記照明上カバーの上面周縁には、放熱部と風向変更部とを備えたものであり、これにより所期の目的を達成するものである。
【発明の効果】
【０００８】
以上のように本発明は、天井に係合可能な支柱部と、この支柱部の下部に備えたモータ部と、このモータ部により回転する羽根部と、前記モータ部の下部に設けた制御部と、この制御部の下部に設けた照明部と、前記モータ部と前記制御部と前記照明部の少なくとも一部を覆う椀形状のケース部とから構成し、前記制御部は、電子部品を搭載した基板である制御基板部と、この制御基板部を覆う椀形状の制御ケース部とからなり、前記照明部は、前記制御部と前記ケース部とに挟まれ下部が閉塞した筒形状の照明下カバーと、この照明下カバーと前記制御部とに挟まれ円板形状の照明上カバーと、前記照明上カバーに固定されると共に複数の発光素子を装着したＬＥＤ基板部とからなり、前記制御ケース部は、側周面に複数の開口を備え、前記ケース部は、前記ケース部の上端部と前記羽根部との間に空間部を有し、前記照明上カバーの上面周縁には、放熱部と風向変更部とを備えたものである。
【０００９】
すなわち、照明上カバーの上面周縁に放熱部を備えたので、発光素子による発熱が、照明上カバーの放熱部で放熱され、ＬＥＤ基板部の温度上昇が抑制され、照明部の上部にある制御部へ伝わり難くなり、更に、照明上カバーの上面周縁に風向変更部を備えたので、羽根部によって送風される空気の一部が、ケース部の上端部と羽根部との間の空間部からケース部内へ流入し、風向変更部で風向を変化させ、制御ケース部側周面の複数の開口から制御ケース部内へ空気を送風できるので、制御部の温度上昇を抑制できる。
【００１０】
結果として、ケース部内部の温度上昇の更なる低減を図ることができるものである。
【図面の簡単な説明】
【００１１】
【図１】本発明の実施の形態１の天井扇風機の外観正面図
【図２】同天井扇風機の断面図
【図３】同天井扇風機のケース部内の展開図
【図４】同天井扇風機の照明上カバーの斜視図
【発明を実施するための形態】
【００１２】
以下、本発明の実施の形態について図面を参照しながら説明する。
【００１３】
（実施の形態１）
図１、２、３に示すように、天井扇風機１は、支柱部２と、モータ部３と、羽根部４と、制御部５と、照明部６と、ケース部７と、パイプカバー９から構成している。
【００１４】
支柱部２は、中空の棒形状で、上部には、天井に係合可能な吊下部８を有し、下部にはモータ部３が固定されている。支柱部２の周囲には、筒形状のパイプカバー９を備えている。
【００１５】
モータ部３は、アウターローターモーターで、固定子鉄心１０と、固定子巻線１１と、回転子１２とから構成している。回転子１２は、固定子鉄心１０の周縁に、回転自在に設けられている。
【００１６】
羽根部４は、略長四角平板形状で、この略長四角平板形状の一方短辺側が支持部２３に着脱可能に設けられている。支持部２３は、モータ部３の周縁、つまり回転子１２に固定されている。羽根部４は、モータ部３が駆動すると、回転子１２とともに回転する。
【００１７】
制御部５は、図３に示すように、モータ部３の下部に設けられ、制御ケース部１３と、この制御ケース部１３内に設けられた制御基板部１４とから構成されている。制御ケース部１３は、上部が開口した略椀形状で、側面には、複数の開口２６を有している。制御基板部１４は、モータ部３、照明部６、および天井裏からのびる電源電線２２と電気的に接続している。制御基板部１４によって、モータ部３と、照明部６とを制御するものである。
【００１８】
照明部６は、制御部５の下部に設けられ、下面から下方へ光を照らすものである。
【００１９】
ケース部７は、モータ部３と、制御部５と、照明部６の少なくとも一部を覆う上面が開口した椀形状で、下部にも開口２５を有し、この開口２５から照明部６の下部が露出する。この露出部分から光を照らすものである。
【００２０】
照明部６は、照明下カバー１５と、照明上カバー１６と、ＬＥＤ基板部１７とから構成している。
【００２１】
照明下カバー１５は、下部が閉塞した円形の筒形状で、制御部５とケース部７とに挟まれている。照明下カバー１５は、材質は光透過性を有する樹脂材料で、１例として拡散材を含有したポリカーボネートである。この照明下カバー１５内に、照明上カバー１６を有する。
【００２２】
照明上カバー１６は、上部が開口した椀形状で、照明上カバー１６の上面周縁には放熱部と風向変更部とを備えている。放熱部と風向変更部とは、照明上カバー１６と一体で形成している。具体的には、放熱部、風向変更部、照明上カバー１６は、アルミニウムの成型品である。照明上カバー１６は、制御部５とＬＥＤ基板部１７とに挟まれている。
【００２３】
ＬＥＤ基板部１７は、図３に示すように、照明上カバー１６に固定されると共に複数の発光素子１８と、１つの受信部１９を装着している。受信部１９は、ＬＥＤ基板部の中央に、ＬＥＤ基板部から下方へ所定の距離を有して設けられ、照明下カバー１５を介してリモコンから送信された信号を受信できるものである。この信号の１例は、赤外線によるものである。発光素子１８の１例は、長方形の板形状のＬＥＤチップである。このＬＥＤチップが、受信部１９を中心として、放射状に複数個配置されている。
【００２４】
天井扇風機１の動作について説明する。リモコンから信号を送信する。この信号をＬＥＤ基板部１７の中央に設けられている受信部１９が受信し、天井扇風機のモータ部３を駆動させることで本体の、羽根部４が回転し風を送る。また、リモコンの照明用のボタンを押すことで照明用の信号を受信し、照明を点灯させたり、照度を切替えたり、消灯させたりする。また、このときの照度は強、中、弱の３段階となっている。
【００２５】
本実施形態における特徴は、図２、３、４に示すように、制御ケース部１３は側周面に複数の開口２６を備え、ケース部７はケース部７の上端部と羽根部４との間に空間部２４を有し、照明上カバー１６の上面周縁には放熱部と風向変更部とを備えた点である。具体的には、放熱部は、照明上カバー１６の上面周縁から上方へ伸びた複数の板である放熱板２１である。また、風向変更部は、照明上カバー１６の上面周縁から上方へ伸びた複数の板である風向板２０である。
【００２６】
これにより、照明上カバー１６の上面周縁に放熱部である放熱板２１を備えたので、発光素子による発熱が、照明上カバーの放熱板２１で放熱され、ＬＥＤ基板部の温度上昇が抑制され、照明部６の上部にある制御部５へ伝わり難くなり、更に、照明上カバー１６の上面周縁に風向変更部である風向板２０を備えたので、羽根部４によって送風される空気の一部が、ケース部７の上端部と羽根部４との間の空間部２４からケース部７内へ流入し、風向板２０でその風向を変化させられ、制御ケース部１３側周面の複数の開口２６から制御ケース部１３内へ空気を送風できるので、制御部５の温度上昇を抑制できる。
【００２７】
また、照明上カバー１６、風向板２０、放熱板２１とは、アルミニウムの一体成型品である。すなわち、風向板２０は放熱板２１と同一部品、同一材料であるため、風向板２０は空気の風向を変化させながら放熱も同時に行うことができ、より効率の良い放熱を実現できる。結果として、ケース部７内部の温度上昇の更なる低減を図ることができるものである。
【００２８】
また、風向板２０は、制御ケース部１３の開口２６から所定の距離、外方へ離れた位置から外方へ放射状に伸びるものである。これにより、羽根部４および支持部２３が回転すると、空間部２４からケース部７内に入った空気が、風向板２０に沿って開口２６より制御ケース部１３内に流れる。結果として、制御ケース部１３内に流入する空気の量が増え、制御ケース部１３内の温度上を更に抑制できる。
【００２９】
また、風向板２０は、開口から所定の距離、外方へ離れた位置から羽根部４の回転方向と逆方向へ曲がりながら外方へ放射状に伸びるものである。これにより、羽根部４および支持部２３が回転すると、この空間部２４の一部から入る空気の方向と、風向板２０がケース部７の外方から内方へ伸びる方向とが、同じ方向となり、空気の圧損を少なくすることができるため、空間部２４の一部から風向板２０に沿って空気が、制御ケース部１３内部に更に入り易くなると考えられる。結果として、制御ケース部１３内の温度上昇を更に抑制できる。
【００３０】
また、照明上カバー１６の材質は、アルミニウムである。これにより、ＬＥＤ基板部１７の上面のから照明上カバー１６の風向板２０および放熱板２１への熱伝達率が向上し、発光素子１８による発熱が、照明部６の上部にある制御部５へ伝わるのを抑制できる。
【００３１】
また、ＬＥＤ基板部１７は、平板形状で、下面には、複数の発光素子１８が装着され、上面の少なくとも一部は、照明上カバー１６の下面に接触しているものである。これにより、発光素子１８の発熱が、ＬＥＤ基板部１７を介して、照明上カバー１６に伝わるので、照明下カバー１５内の温度上昇を抑制できる。
【産業上の利用可能性】
【００３２】
以上のように本発明は、天井に係合可能な支柱部と、この支柱部の下部に備えたモータ部と、このモータ部により回転する羽根部と、前記モータ部の下部に設けた制御部と、この制御部の下部に設けた照明部と、前記モータ部と前記制御部と前記照明部の少なくとも一部を覆う椀形状のケース部とから構成し、前記制御部は、電子部品を搭載した基板である制御基板部と、この制御基板部を覆う椀形状の制御ケース部とからなり、前記照明部は、前記制御部と前記ケース部とに挟まれ下部が閉塞した筒形状の照明下カバーと、この照明下カバーと前記制御部とに挟まれ円板形状の照明上カバーと、前記照明上カバーに固定されると共に複数の発光素子を装着したＬＥＤ基板部とからなり、前記制御ケース部は、側周面に複数の開口を備え、前記ケース部は、前記ケース部の上端部と前記羽根部との間に空間部を有し、前記照明上カバーの上面周縁には、放熱部と風向変更部とを備えたものである。
【００３３】
すなわち、照明上カバーの上面周縁に放熱部を備えたので、発光素子による発熱が、照明上カバーの放熱部で放熱され、ＬＥＤ基板部の温度上昇が抑制され、照明部の上部にある制御部へ伝わり難くなり、更に、照明上カバーの上面周縁に風向変更部を備えたので、羽根部によって送風される空気の一部が、ケース部の上端部と羽根部との間の空間部からケース部内へ流入し、風向変更部で風向を変化させ、制御ケース部側周面の複数の開口から制御ケース部内へ空気を送風できるので、制御部の温度上昇を抑制できる。
【００３４】
結果として、ケース部内部の温度上昇の更なる低減を図ることができるものである。
【００３５】
したがって、家庭用や事務所用などの、天井扇風機としての活躍が期待されるものである。
【符号の説明】
【００３６】
１      天井扇風機
２      支柱部
３      モータ部
４      羽根部
５      制御部
６      照明部
７      ケース部
８      吊下部
９      パイプカバー
１０      固定子鉄心
１１      固定子巻線
１２      回転子
１３      制御ケース部
１４      制御基板部
１５      照明下カバー
１６      照明上カバー
１７      ＬＥＤ基板部
１８      発光素子
１９      受信部
２０      風向板
２１      放熱板
２２      電源電線
２３      支持部
２４      空間部
２５      開口
２６      開口
【図１】
2015055157.tif 000003
【図２】
2015055157.tif 000004
【図３】
2015055157.tif 000005
【図４】
2015055157.tif 000006